(57)【要約】【課題】  発電セット用、車両用等の中、小型エンジンに適用可能な小型コンパクトな装置で以って、レーザ光の照射によるターゲットの損耗を抑制することにより該ターゲットの消耗時間を延長可能としたレーザ着火式エンジンを提供する。【解決手段】  レーザ光を燃焼室内に設置されたターゲットに照射して発生させた該プラズマにより燃焼室内のガスに着火するように構成されたレーザ着火式エンジンにおいて、各シリンダのシリンダヘッドに固定された中空の収納筒内に、駆動源に駆動されて一定範囲内において移動可能にされた反射面を有する反射ミラーを備えたレーザ光分散機構を設け、該レーザ光分散機構は前記反射面に反射後のレーザ光を前記収納筒内を貫通し前記ターゲット上に所定範囲内に分散して照射せしめるように構成されたことを特徴とする。【選択図】    図１
2005291105.tif 000002
【特許請求の範囲】
【請求項１】
レーザ発信装置から発信されたレーザ光を光ファイバー、レーザ伝送ファイバー等のレーザ伝送通路を通してエンジンの各シリンダに伝送し、該レーザ光を燃焼室内に設置されたターゲットに照射して発生させた該プラズマにより燃焼室内のガスに着火するように構成されたレーザ着火式エンジンにおいて、前記各シリンダのシリンダヘッドに固定された中空の収納筒内に、モータ等の駆動源に駆動されて一定範囲内において移動可能にされた反射面を有する反射ミラーを備えたレーザ光分散機構を設け、該レーザ光分散機構は前記反射面に反射後のレーザ光を前記収納筒内を貫通し前記ターゲット上に所定範囲内に分散して照射せしめるように構成されたことを特徴とするレーザ着火式エンジン。
【請求項２】
前記レーザ光分散機構は、前記反射ミラーが、支持軸に揺動可能に軸支されて該支持軸周りに揺動せしめられ、該揺動に伴う反射面の傾斜角の変化よりレーザ光を異なる反射角で反射する揺動ミラーにて構成されるとともに、モータに直結されて回転駆動されることにより前記揺動ミラーを揺動せしめるカムを備え、前記揺動ミラーの傾斜角を変化させ異なる反射角でレーザ光を反射するように構成したことを特徴とする請求項１記載のレーザ着火式エンジン。
【請求項３】
前記レーザ光分散機構は、前記反射ミラーが、モータにより回転駆動されるとともに周方向に異なる傾斜角で形成された複数の反射面を有する角錐状の回転ミラーにて構成され、前記回転ミラーを前記モータにより回転させ、該回転ミラーの傾斜角が異なる複数の反射面でレーザ光を反射するように構成したことを特徴とする請求項１記載のレーザ着火式エンジン。
【請求項４】
前記レーザ光分散機構は、前記反射ミラーが、モータに直結されて回転駆動されるとともに前記レーザ伝送通路から入光されたレーザ光を反射する円錐面を備えた回転ミラーにて構成され、該回転ミラーはその回転軸心と前記円錐面の軸心とを偏心して形成され、前記回転ミラーを回転させ前記回転軸心に対して偏心して形成された前記円錐面の反射角を変化させてレーザ光を反射するように構成したことを特徴とする請求項１記載のレーザ着火式エンジン。
【請求項５】
エンジンの回転に同期して回転駆動される回転軸の円周方向に沿って前記エンジンのシリンダ数と同数かつ各シリンダ毎に異なる傾斜角で以って傾斜して設けられ、前記レーザ発信装置からのレーザ光を反射する複数個の部分ミラーを備え、前記レーザ伝送通路は前記複数個の部分ミラーと同数設けられて前記各部分ミラーでそれぞれ異なる方向に反射されたレーザ光を入光可能な位置にそれぞれの入光部を配置されてなることを特徴とする請求項１ないし４の何れかの項に記載のレーザ着火式エンジン。
【発明の詳細な説明】
【技術分野】
【０００１】
本発明は、主としてガスエンジンに適用され、レーザ発信装置から発信されたレーザ光をレーザ伝送通路を通してエンジンの各シリンダに伝送し、該レーザ光をシリンダ内に照射して発生させた該プラズマによりシリンダ内のガスに着火するように構成されたレーザ着火式エンジンであって、特にレーザ伝送通路を通して伝送されたレーザ光をターゲット上において所定範囲内に分散して照射するようにしたレーザ着火式エンジンに関する。
【背景技術】
【０００２】
予混合希薄燃焼ガスエンジンにおいては、希薄混合ガスの着火燃焼を促進するため、通常、副室に装着した点火プラグによって該副室内の濃混合比ガスに点火して着火し、該着火火炎を主燃焼室内の希薄混合気中に噴出せしめて主燃焼させる点火プラグ着火方式、並びに、副室に装着したパイロット燃料噴射弁によって該副室内の混合ガス中にパイロット燃料を噴射して着火し該着火火炎を主燃焼室内の希薄混合気中に噴出せしめて主燃焼させるパイロット燃料噴射着火方式が多く用いられているが、近年、前記２つの着火方式よりも希薄混合気中における着火性能が高い着火方式として、レーザ光を燃焼室表面に固定されたターゲットに照射してプラズマ着火を発生させるレーザ着火方式が提案されている。
【０００３】
かかるレーザ着火式エンジンは、一般に、レーザ発信装置から発信されたレーザ光を光ファイバー、レーザ伝送ファイバー等のレーザ伝送通路を通してエンジンの各シリンダに伝送し、該レーザ光を燃焼室内に設置されたターゲットに照射して発生させた該プラズマにより燃焼室内のガスに着火するように構成されており、前記レーザ光を燃焼室内のターゲットに効果的に照射する手段として、たとえば特許文献１（特開平１０−２１７５２１号公報）の技術が提案されている。
【０００４】
かかる技術においては、シリンダヘッド内のレーザ光の光路内に複数のウェッジ基板を光路に直列に設置し、それぞれの基板を異なる回転数で回転させることにより、前記レーザ光を広い範囲に揺動、分散させてターゲットに照射することにより、ターゲットのある位置照射したレーザ光が次に同じ位置を照射するまでの照射時間を長くして、ターゲットの消耗時間を延長している。   
【０００５】
【特許文献１】特開平１０−２１７５２１号公報
【発明の開示】
【発明が解決しようとする課題】
【０００６】
レーザ着火式エンジンにおいて、燃焼室内におけるガスの着火性を向上するには、レーザ発信装置から発信されたレーザ光を燃焼室内に設置されたターゲットに照射して発生させるプラズマの強度を増大する必要がある。
該プラズマの強度Ｙを増大するには、図７に示されるように、レーザエネルギーＥを増大することを要する。しかしながら、レーザエネルギーＥを増大すると、ターゲットに強いレーザ光が集中的に照射されるため、ターゲットの損耗が大きくなって該ターゲットの消耗時間が短くなるという問題がある。
【０００７】
特許文献１の技術は、レーザ光の光路内に直列に設置した複数のウェッジ基板を異なる回転数で回転させることにより、前記レーザ光を広い範囲に揺動、分散させてターゲットに照射するように構成されているため、かかるターゲットの消耗時間の短縮化を防止可能であるが、レーザ光の光路内に設置する複数のウェッジ基板を含む回転装置の大きさが、直径５０ｍｍ程度、長さ６０ｍｍ程度と大型となり、船舶用大型ディーゼル機関のような大型エンジンには適用可能であるが、発電セット用、車両用等の中、小型エンジンには適用困難となる。
【０００８】
本発明はかかる従来技術の課題に鑑み、発電セット用、車両用等の中、小型エンジンに適用可能な小型コンパクトな装置で以って、レーザ光の照射によるターゲットの損耗を抑制することにより該ターゲットの消耗時間を延長可能としたレーザ着火式エンジンを提供することを目的とする。
【課題を解決するための手段】
【０００９】
本発明はかかる目的を達成するもので、レーザ発信装置から発信されたレーザ光を光ファイバー、レーザ伝送ファイバー等のレーザ伝送通路を通してエンジンの各シリンダに伝送し、該レーザ光を燃焼室内に設置されたターゲットに照射して発生させた該プラズマにより燃焼室内のガスに着火するように構成されたレーザ着火式エンジンにおいて、前記各シリンダのシリンダヘッドに固定された中空の収納筒内に、モータ等の駆動源に駆動されて一定範囲内において移動可能にされた反射面を有する反射ミラーを備えたレーザ光分散機構を設け、該レーザ光分散機構は前記反射面に反射後のレーザ光を前記収納筒内を貫通し前記ターゲット上に所定範囲内に分散して照射せしめるように構成されたことを特徴とする。
【００１０】
かかる発明によれば、レーザ発信装置から発信されて各シリンダに分配されたレーザ光をレーザ光分散機構の反射ミラーに当てると、該反射ミラーがモータ等の駆動源によって一定範囲内において移動せしめられいるので、該反射ミラーに反射後のレーザ光は、該反射ミラーの少量の移動により該反射ミラーの移動量だけ分散して前記収納筒内を貫通し、燃焼室内のターゲット上に所定範囲内に分散して照射せしめられる。
【００１１】
従って、かかる発明によれば、反射ミラーに当てられたレーザ光を駆動源による該反射ミラーの移動量だけ分散して燃焼室内のターゲット上に所定範囲内に分散して照射せしめることができて、ターゲットへの照射ポイントが前記所定範囲内で移動することとなり、レーザエネルギーを増大しても、前記ターゲットに強いレーザ光が集中的に照射されるのを回避でき、ターゲットの消耗時間を延長できる。
【００１２】
さらに、かかる発明によれば、前記シリンダヘッドに固定された中空の収納筒内に反射ミラー及びモータ等の駆動源を含むレーザ光分散機構を収納したので、特許文献１のようなレーザ光の光路内に複数のウェッジ基板を含む回転装置を設置する装置に比べて装置を小型コンパクト化することが可能となり、大型エンジンは勿論、中、小型エンジンにも容易に適用できる。
【００１３】
かかる発明において、前記レーザ光分散機構は、具体的には次の３つの構成による。
（第１の構成）
前記反射ミラーが、支持軸に揺動可能に軸支されて該支持軸周りに揺動せしめられ、該揺動に伴う反射面の傾斜角の変化よりレーザ光を異なる反射角で反射する揺動ミラーにて構成されるとともに、モータに直結されて回転駆動されることにより前記揺動ミラーを揺動せしめるカムを備え、前記揺動ミラーの傾斜角を変化させ異なる反射角でレーザ光を反射するように構成する。
このように構成すれば、支持軸周りに揺動せしめられる揺動ミラーの傾斜角を変化することにより、揺動ミラーに反射後のレーザ光の分散度合い及びターゲットへの照射ポイントを容易に調整できる。
【００１４】
（第２の構成）
前記反射ミラーが、モータにより回転駆動されるとともに周方向に異なる傾斜角で形成された複数の反射面を有する角錐状の回転ミラーにて構成され、前記回転ミラーを前記モータにより回転させ、該回転ミラーの傾斜角が異なる複数の反射面でレーザ光を反射するように構成する。
このように構成すれば、周方向に異なる傾斜角で反射面を形成した角錐状の回転ミラーをモータにより回転駆動しつつ該反射面でレーザ光を反射するのみという、きわめて簡単な構造及び手段で、該レーザ光を分散して燃焼室内のターゲット上に、所要の分散度合いに正確に一致させて照射せしめることができる。
【００１５】
（第３の構成）
前記反射ミラーが、モータに直結されて回転駆動されるとともに前記レーザ伝送通路から入光されたレーザ光を反射する円錐面を備えた回転ミラーにて構成され、該回転ミラーはその回転軸心と前記円錐面の軸心とを偏心して形成され、前記回転ミラーを回転させ前記回転軸心に対して偏心して形成された前記円錐面の反射角を変化させてレーザ光を反射するように構成する。
このように構成すれば、軸心が回転軸心と偏心して形成された円錐面を備えた回転ミラーを回転しつつ該反射面でレーザ光を反射するのみという、前記第２の構成よりもさらに簡単な構造及び手段で以ってレーザ光を分散して燃焼室内のターゲット上に照射せしめることができる。
【００１６】
かかる発明において、好ましくは、エンジンの回転に同期して回転駆動される回転軸の円周方向に沿って前記エンジンのシリンダ数と同数かつ各シリンダ毎に異なる傾斜角で以って傾斜して設けられ、前記レーザ発信装置からのレーザ光を反射する複数個の部分ミラーを備え、前記レーザ伝送通路は前記複数個の部分ミラーと同数設けられて前記各部分ミラーでそれぞれ異なる方向に反射されたレーザ光を入光可能な位置にそれぞれの入光部を配置されてなる。
このように構成すれば、各シリンダのシリンダヘッドに装着された前記レーザ光分散機構に入光する前のレーザ光の伝送にあたり、回転軸の円周方向に沿ってエンジンの各シリンダ毎に異なる傾斜角で以って傾斜して設けられた各シリンダに対応する部分ミラーの表面にレーザ光を集光させて、各シリンダに対応する部分ミラーからの反射光を各シリンダ毎のレーザ伝送通路に入光するように構成したので、同一の部分ミラーの領域ではレーザ発信装置からのレーザ光はその照射タイミングに関係なく該部分ミラーで反射されて、対応するシリンダのレーザ伝送通路に入光せしめ、当該シリンダの燃焼室内に照射することができ、これにより、エンジンのシリンダ数と同数の部分ミラーを、各シリンダの着火順序に対応した傾斜角で以って傾斜して設けるのみで、レーザ光の各シリンダへの分配と照射タイミングの変化の双方を同時に実現できる。
【発明の効果】
【００１７】
本発明によれば、反射ミラーに当てられたレーザ光を駆動源による該反射ミラーの移動量だけ分散して燃焼室内のターゲット上に所定範囲内に分散して照射せしめることができて、ターゲットへの照射ポイントが前記所定範囲内で移動することとなり、レーザエネルギーを増大しても、前記ターゲットに強いレーザ光が集中的に照射されるのを回避でき、ターゲットの消耗時間を延長できる。
さらに、前記シリンダヘッドに固定された中空の収納筒内に反射ミラー及びモータ等の駆動源を含むレーザ光分散機構を収納したので、特許文献１のようなレーザ光の光路内に複数のウェッジ基板を含む回転装置を設置する装置に比べて装置を小型コンパクト化することが可能となり、大型エンジンは勿論、中、小型エンジンにも容易に適用できる。
【発明を実施するための最良の形態】
【００１８】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【実施例１】
【００１９】
図１は本発明の第１実施例に係るレーザ着火式エンジンのレーザ光分散機構装着部近傍の要部断面図である。図２は第２実施例を示す図１対応図である。図３の（Ａ）は前記第２実施例における回転ミラーの平面図、（Ｂ）は（Ａ）におけるＣ−Ｃ線断面図、（Ｃ）は（Ａ）におけるＤ−Ｄ線断面図である。図４は前記第２実施例における回転ミラーの作用説明図である。図５は第３実施例における回転ミラーの比較図で、（Ａ）は第３実施例、（Ｂ）は比較例を示す。図６は前記各実施例におけるレーザ着火システムの全体構成図である。
【００２０】
レーザ着火システムの全体構成を示す図６において、１００はエンジンで、ディーゼルエンジンあるいはガスエンジンからなり、この例では４シリンダのエンジンを示す。１０５は該エンジン１００のシリンダヘッド、１０１はカム軸である。該カム軸１０１は、具体的には、図示しない燃料カムを備えた燃料カム軸で、該燃料カムによって図示しない燃料噴射ポンプが駆動される。
１はレーザ光（レーザパルス）２を発信するレーザ発信装置、５は該レーザ光２を後述する部分ミラー３１、３２、３３、３４上に集光する第１の集光レンズであり、該レーザ発信装置１及び第１の集光レンズ５は、エンジン１台あるいは複数シリンダに付き１組設けられている。
【００２１】
３０は部分ミラー機構で、次のように構成される。
３はミラー円板で、前記エンジン１００のカム軸１０１に接続軸１０２を介して連結されるミラー回転軸４に固定され、該カム軸１０１の回転に同期して回転駆動される。
３１は＃１シリンダ用の部分ミラー、３２は＃２シリンダ用の部分ミラー、３３は＃３シリンダ用の部分ミラー、３４は＃４シリンダ用の部分ミラーであり、前記エンジン１００のシリンダ数と同数設けられており、各部分ミラー３１、３２、３３、３４は前記ミラー円板３の外周に固定されて、該ミラー円板３により前記カム軸１０１の回転に同期して回転せしめられる。
図６（Ｂ）に示されるように、前記各部分ミラー３１、３４、３２、３３は、各シリンダの着火順序（この場合は＃１→＃４→＃２→＃３）に対応して設定された前記ミラー回転軸４の軸心に対する傾斜角β１、β４、β２、β３で以って傾斜して設けられている。
【００２２】
５１は＃１シリンダ用のレーザ伝送ファイバー、５４は＃４シリンダ用のレーザ伝送ファイバー、５２は＃２シリンダ用のレーザ伝送ファイバー、５３は＃３シリンダ用のレーザ伝送ファイバーで、該レーザ伝送ファイバー５１、５４、５２、５３は前記エンジン１００のシリンダ数と同数設けられている。前記各レーザ伝送ファイバー５１、５４、５２、５３の入光部Ｓ１、Ｓ４、Ｓ２、Ｓ３は、前記各部分ミラー３１、３４、３２、３２からの反射光２ａの光路に設置されて、前記各部分ミラー３１、３４、３２、３３からの反射光が各レーザ伝送ファイバー５１、５４、５２、５３内に効率良く入光するようになっている。前記レーザ伝送ファイバー５１、５４、５２、５３に代えて光ファイバーを用いてもよい。
また、前記各部分ミラー３１、３４、３２、３３の傾斜角β１、β４、β２、β３は、該部分ミラー３１、３４、３２、３３が該部分ミラーの回転により、例えば＃１シリンダの部分ミラー３１の場合は、前記集光レンズ５を経たレーザ光２が該部分ミラー３１上で集光する位置にきたとき、該部分ミラー３１からの反射光が＃１シリンダの前記レーザ伝送ファイバー５１の入光部Ｓ１に入光するような角度に設定される。
【００２３】
２２は前記レーザ発信装置１から発信されるレーザ光２のパルス間隔、レーザ光エネルギー（レーザ光の強さ）等を制御するレーザコントローラである。２０はエンジンの回転数を検出する回転数センサ、２１はエンジン１００のクランク角を検出するクランク角センサで、タイミング円板等よりなる。
前記回転数センサ２０からのエンジン回転数の検出値及びクランク角センサ２１からのクランク角の検出値（特に上死点の検出値）は、前記レーザコントローラ２２に入力される。該レーザコントローラ２２は、前記エンジン回転数の検出値及びクランク角の検出値に基づき、前記レーザ発信装置１からのレーザ光の発射タイミングを制御する。
【００２４】
かかるレーザ着火システムにおいて、前記回転数センサ２０からのエンジンの回転数の検出値及び前記クランク角センサ２１からのクランク角の検出値は、レーザコントローラ２２に入力される。該レーザコントローラ２２においては、前記エンジン回転数の検出値に対応するレーザパルス発信間隔を算出し、前記部分ミラー３１、３４、３２、３３の回転と同期させて、前記レーザ発信装置１からレーザ光を発射せしめる。
【００２５】
前記のようにして、１台のレーザ発信装置１から発射されたレーザ光は、集光レンズ５を介して、エンジン１００の各シリンダの着火順序に対応した傾斜角β１、β４、β２、β３で以って傾斜して設けられた各シリンダに対応する部分ミラー３１、３４、３２、３３の表面で、前記エンジン１００の回転に同期して各シリンダの着火順序で順次集光した後、該部分ミラー３１、３４、３２、３３の表面で反射せしめられる。
該部分ミラー３１、３４、３２、３３からの反射光は、前記のように、シリンダ数と同数設けられて入光部Ｓ１、Ｓ４、Ｓ２、Ｓ３が前記反射光を入光可能に配置された各シリンダ毎のレーザ伝送ファイバー５１、５４、５２、５３に入光し、該レーザ伝送ファイバー５１、５４、５２、５３を通り、各シリンダに装着された後述するレーザ光分散機構４０に入光される。
【００２６】
次に、前記各シリンダにおけるレーザ光分散機構４０の第１実施例を示す図１（Ａ）、（Ｂ）、（Ｃ）において、４５は中空に形成された収納筒で、シリンダヘッド１０５の収納孔１０５ａ内に挿入され、図示しないボルトで該シリンダヘッド１０５に固定されている。
４７は揺動ミラー支持体、６０はカバー、４９は固定ナットで、前記揺動ミラー支持体
４７を固定ナット４９によりカバー６０に締め付け、該カバー６０を前記収納筒４５の上部にねじ込むことにより、前記揺動ミラー支持体４７を収納筒４５の上部に固定するようになっている。
【００２７】
０４１は揺動ミラーで、板状の取付体４６及び該取付体４６に固定されたミラー４１からなり、図１（Ｃ）のように、前記揺動ミラー支持体４７に取り付けられた支持軸６１に揺動可能に軸支されて該支持軸６１周りに揺動せしめらるようになっている。
４４は前記揺動ミラー支持体４７に固定されたマイクロモータ、４２は該マイクロモータ４４の出力軸に固定されたカム付回転円板（図１（Ｃ）参照）、４３は前記揺動ミラー０４１の端部と揺動ミラー支持体４７との間に架設された戻しばね（引張ばね）で、前記マイクロモータ４４の回転によりカム付回転円板４２のカムが前記揺動ミラー０４１を、前記戻しばね４１のばね力に抗して前記支持軸６１周りに揺動するようになっている。
４８は前記レーザ伝送ファイバー５１の前記収納筒４５に固定するためのファイバー継手で、該ファイバー継手４８により、前記レーザ伝送ファイバー５１の出光部からのレーザ光２が前記揺動ミラー０４１のミラー４１に入射するように方向づけている。
【００２８】
４５ａは前記収納筒４５内に形成されたレーザ光通路で、前記揺動ミラー０４１で反射されたレーザ光２が透過するようになっている。５５は前記収納筒４５の下部に押え部材５６ａ及びレンズ支持台５７を介して装着された集光レンズで、レンズ固定ナット５６を前記収納筒４５にねじ込むことにより、前記レンズ支持台５７上に固定されている。５９は前記燃焼室１０３との間の流体シールを行うための石英ガラスで、固定ねじ５８を前記収納筒４５の下部にねじ込むことにより、該収納筒４５に固定されている。
１５６は前記ピストン１０４の上面に固定されたターゲットで、前記レーザ伝送ファイバー５１を透過し前記揺動ミラー０４１で反射されたレーザ光２が、レーザ光通路４５ａ及び集光レンズ５５を通って該ターゲット１５６に照射されるようになっている。
【００２９】
かかる第１実施例において、レーザ発信装置１から発信され、前記ようにして（図６参照）各シリンダのレーザ伝送ファイバー５１の出光部を通ったレーザ光２は、前記揺動ミラー０４１のミラー４１に当てられると、該ミラー４１により略直角に反射され、前記レーザ光通路４５ａ及び集光レンズ５５を通って該ターゲット１５６に照射される。
かかるレーザ光２の照射時においては、前記マイクロモータ４４によってカム付回転円板４２が回転し、これによって前記揺動ミラー０４１が前記支持軸６１回りに揺動せしめられている。かかる揺動ミラー０４１の微小な揺動（微小な移動）により、前記揺動ミラー０４１のミラー４１で反射されたレーザ光２は、一定範囲内で分散して集光レンズ５５に入り、該集光レンズ５５出口においても前記分散を保持した状態で、前記ターゲット１５６に照射される。
前記揺動ミラー０４１の揺動速度あるいは揺動角度を調整することにより、該揺動ミラーに０４１に反射後のレーザ光２の分散度合い及びターゲット１５６への照射ポイントを容易に調整できる。
【００３０】
かかる第１実施例によれば、揺動ミラー０４１に当てられたレーザ光２をマイクロモータ４４による該揺動ミラー０４１の移動量だけ分散して燃焼室１０３内のターゲット１５６上に所定範囲内に分散して照射せしめることができるので、該ターゲット１５６への照射ポイントが前記所定範囲内で移動することとなり、レーザエネルギーを増大しても、前記ターゲット１５６に強いレーザ光２が集中的に照射されるのを回避できる。これにより、ターゲット１５６の消耗時間を延長できる。
また、前記シリンダヘッド１０５に固定された中空の収納筒４５内に揺動ミラー０４１及びマイクロモータ４４等の駆動機構を含むレーザ光分散機構４０を収納したので、装置を小型コンパクト化することが可能となり、大型エンジンは勿論、中、小型エンジンにも容易に適用できる。
【実施例２】
【００３１】
図２に示される第２実施例において、４０はレーザ光分散機構で、複数（この例では４個）の反射面７１ａ、７１ｂ、７１ｃ、７１ｄを有する角錐状（この例では四角錐）の回転ミラー７１、及び該回転ミラー７１を回転駆動するマイクロモータ４４により構成されている。前記回転ミラー７１は、図３の（Ａ）、（Ｂ）、（Ｃ）に示されるように、前記反射面７１ａ、７１ｂ、７１ｃ、７１ｄの傾斜角βを変化させている。即ちこの例では、該傾斜角βは、反射面７１ａがβ１＝４４°、反射面７１ｂがβ２＝４６°、反射面７１ｃがβ３＝４５°、反射面７１ｄがβ４＝４４°のように、前記ターゲット１５６への照射ポイントの広さを考慮して僅かに変化させている。
【００３２】
かかる第２実施例においては、図４に示されるように、前記レーザ伝送ファイバー５１の出光部を通ったレーザ光２は、回転駆動されている回転ミラー７１に当たると、該回転ミラー７１の傾斜角βによって決まる方向に反射され、集光レンズ５５を透過してターゲット１５６に照射される。
例えば、前記傾斜角β３＝４５°の反射面７１ｃで反射したレーザ光２ｃはターゲット１５６の照射ポイント１５６ｃに照射されるのに対し、前記傾斜角β３＝４５°よりも大きい傾斜角β２＝４６°の反射面７１ｂで反射したレーザ光２ｂはターゲット１５６の照射ポイント１５６ｂに照射され、前記傾斜角β３＝４５°よりも小さい傾斜角β１＝４４°の反射面７１ａで反射したレーザ光２ａはターゲット１５６の照射ポイント１５６ａに照射されこととなり、このように回転駆動される回転ミラー７１の反射面７１ａ、７１ｂ、７１ｃ、７１ｄの傾斜角βを変化させることにより、ターゲット１５６上の照射ポイント１５６ａ、１５６ｂ、１５６ｃ、１５６ｄを移動させることが可能となる。
【００３３】
従って、かかる第２実施例によれば、周方向に異なる傾斜角βで反射面７１ａ、７１ｂ、７１ｃ、７１ｄを形成した四角錐の回転ミラー７１をマイクロモータ４４により回転駆動しつつ該反射面７１ａ、７１ｂ、７１ｃ、７１ｄでレーザ光２を反射するのみという、前記第１実施例よりも簡単な構造及び手段で、該レーザ光２を分散して燃焼室１０３内のターゲット１５６上に、所要の分散度合いに正確に一致させて照射せしめることができる。
尚、前記回転ミラー７１は、前記四角錐以外の、三角錐、五角錐等、角錐体であればよい。
その他の構成は前記第１実施例と同様であり、これと同一の部材は同一の符号で示す。
【実施例３】
【００３４】
図５（Ａ）に示される第３実施例においては、図２において回転ミラー７１を図５（Ａ）のような円錐体に形成してその反射面７１ｆを同一傾斜角βの傾斜面として、該回転ミラー７１の回転中心７１ｚと前記反射面７１ｆの中心７１ｙ（円錐体の中心）とを、図５（Ｂ）の比較例のように一致させずに、少量偏心させる。
このように構成することにより、回転ミラー７１をマイクロモータ４４により回転駆動しながら前記反射面７１ｆにレーザ光２を当てると、反射面７１ｆが偏心して非対称であるため、反射面７１ｆに反射後のレーザ光２は分散してターゲット１５６上の異なる照射ポイントに照射される。
かかる第３実施例によれば、反射面７１ｆの中心反射面７１ｙが回転中心７１ｚと偏心して形成された円錐面からなる反射面７１ｆを備えた回転ミラー７１を回転しつつ該反射面７１ｆでレーザ光２を反射するのみという、前記第２実施例よりもさらに簡単な構造及び手段で以ってレーザ光２を分散して燃焼室１０３内のターゲット１５６上に照射せしめることができる。
尚、図示を省略したが、その他の構成は前記第２実施例と同様である。
【産業上の利用可能性】
【００３５】
本発明によれば、発電セット用、車両用等の中、小型エンジンに適用可能な小型コンパクトな装置で以って、レーザ光の照射によるターゲットの損耗を抑制することにより該ターゲットの消耗時間を延長可能としたレーザ着火式エンジンを提供することができる。
【図面の簡単な説明】
【００３６】
【図１】本発明の第１実施例に係るレーザ着火式エンジンのレーザ光分散機構装着部近傍の要部断面図である。
【図２】第２実施例を示す図１対応図である。
【図３】（Ａ）は前記第２実施例における回転ミラーの平面図、（Ｂ）は（Ａ）におけるＣ−Ｃ線断面図、（Ｃ）は（Ａ）におけるＤ−Ｄ線断面図である。
【図４】前記第２実施例における回転ミラーの作用説明図である。
【図５】第３実施例における回転ミラーの比較図で、（Ａ）は第３実施例、（Ｂ）は比較例を示す。
【図６】前記各実施例におけるレーザ着火システムの全体構成図である。
【図７】レーザエネルギーとプラズマ強度との関係を示す線図である。
【符号の説明】
【００３７】
１    レーザ発信装置
２    レーザ光
３    ミラー円板
３０    部分ミラー機構
３１、３２、３３、３４    部分ミラー
４    ミラー回転軸
５    集光レンズ
２０    回転数センサ
２１    クランク角センサ
２２    レーザコントローラ
０４１  揺動ミラー
４０    レーザ光分散機構
４１    ミラー
４２    カム付回転円板
４３    戻しばね
４４    マイクロモータ
４５    収納筒
４７    揺動ミラー支持体
５１、５２、５３、５４    レーザ伝送ファイバー
５５    集光レンズ
６１    支持軸
７１    回転ミラー
７１ａ、７１ｂ、７１ｃ、７１ｄ    反射面
７１ｆ    反射面
１００    エンジン
１５６    ターゲット
１００    エンジン
１０１    カム軸
１０５    シリンダヘッド
【図１】
2005291105.tif 000003
【図２】
2005291105.tif 000004
【図３】
2005291105.tif 000005
【図４】
2005291105.tif 000006
【図５】
2005291105.tif 000007
【図６】
2005291105.tif 000008
【図７】
2005291105.tif 000009